(57)【要約】【課題】ベッド等に設けられた柵に設置でき、開口部を上向きに大きく開いた状態でポリ袋等の袋体を取付け可能な袋体を使用したゴミ箱を提供する。【解決手段】横木部材１１とその下方に配置された支持部材１２とを有する柵１４に設置される袋体１５を使用したゴミ箱であって、袋体１５の開口部１６を上開放に保持する枠体２１と、枠体２１の一部に設けられ、横木部材１１に取付ける取付具２３と、枠体２１の取付具２３と同一側に設けられ、支持部材１２に当接して枠体２１を保持する支持具２４とを備えるゴミ箱本体２０と、枠体２１に上から嵌着し、袋体１５の開口部１５周囲を挟み込んで固定する挟持部材３０とを有する。【選択図】        図１
2005001809.tif 000002
【特許請求の範囲】
【請求項１】
横木部材とその下方に配置された支持部材とを有する柵に設置される袋体を使用したゴミ箱であって、
前記袋体の開口部を上開放に保持する枠体と、該枠体の一部に設けられ、前記横木部材に取付ける取付具と、前記枠体の該取付具と同一側に設けられ、前記支持部材に当接して前記枠体を保持する支持具とを備えるゴミ箱本体と、
前記枠体に上から嵌着し、前記袋体の開口部周囲を挟み込んで固定する挟持部材とを有することを特徴とする袋体を使用したゴミ箱。
【請求項２】
請求項１記載の袋体を使用したゴミ箱において、前記枠体の内側には引掛部が設けられ、該引掛部に前記袋体を外部から隠す覆い部材が引っ掛けられることを特徴とする袋体を使用したゴミ箱。
【請求項３】
請求項１記載の袋体を使用したゴミ箱において、前記枠体の外側又は内側には、接着部材が取付けられ、該接着部材に前記袋体を外部から隠す覆い部材を貼着することを特徴とする袋体を使用したゴミ箱。
【請求項４】
横木部材とその下方に配置された支持部材とを有する柵に設置される袋体を使用したゴミ箱であって、
前記袋体の開口部を上開放に保持し、前記袋体を内包する筒状体と、該筒状体の上部に設けられ、前記横木部材に取付ける取付具と、前記筒状体の該取付具と同一側に形成され、前記支持部材に当接して保持する支持具とを備えるゴミ箱本体と、
前記筒状体に上から嵌着し、前記袋体の開口部周囲を挟み込んで固定する挟持部材とを有することを特徴とする袋体を使用したゴミ箱。
【請求項５】
請求項４記載の袋体を使用したゴミ箱において、前記筒状体の内側下部には突起部が設けられ、該突起部に底板を取付けることを特徴とする袋体を使用したゴミ箱。
【請求項６】
請求項１〜５のいずれか１項に記載の袋体を使用したゴミ箱において、前記挟持部材には、前記袋体の開口部を閉塞する蓋が設けられていることを特徴とする袋体を使用したゴミ箱。
【請求項７】
請求項１〜６のいずれか１項に記載の袋体を使用したゴミ箱において、前記取付具は線状体又は板状体で形成されていることを特徴とする袋体を使用したゴミ箱。
【発明の詳細な説明】
【０００１】
【発明の属する技術分野】
本発明は、ポリ袋等の袋体を取付けてゴミを入れる袋として使用したゴミ箱に関する。
【０００２】
【従来の技術】
従来、買い物時にスーパー等でもらうビニール、ポリエチレン製等の袋体をゴミを入れる袋として使用し、袋体を再利用することがあった。しかしながら、袋体のままでは、その開口部がきちんと開かず、また、袋体が定形ではないためそのまま置くと、中に入れたゴミが外に出ることがあった。更に、ゴミ箱を床に置かず、袋体の取手をフック等に引っ掛けて保持し、袋体にゴミを入れることがあった。また、特許文献１には、袋体の取手を固定する固定穴を設けたゴミ箱が開示されている。更に、特許文献２には、袋体の取手を固定する挟持部材を取付けたゴミ箱が開示されている。
【０００３】
【特許文献１】
特開平６−２５５７０２号公報
【特許文献２】
特開平７−２１５４０４号公報
【０００４】
【発明が解決しようとする課題】
しかしながら、前記従来の袋体を使用したゴミ箱は、未だ解決すべき以下のような問題があった。
特許文献１では、袋体の開口部が小さい場合には、使用できなかった。また、特許文献２では、ゴミ箱と袋体に隙間ができ、その隙間にゴミが入ることがあった。また、袋体をフックに引っ掛けても、袋体の開口部が閉じて、ゴミを入れられないことがあった。また、寝たきり老人等がベッドの上から床に置いたゴミ箱にゴミを入れるのは困難であった。そこで、人及び布団の落下防止のためにベッドに設けられた柵に、フックを取付け、袋体の取手を引っ掛けたりもしているが、袋体の開口部が大きく開かないという問題があった。
本発明はかかる事情に鑑みてなされたもので、ベッド等に設けられた柵に設置でき、開口部を上向きに大きく開いた状態でポリ袋等の袋体を取付け可能な袋体を使用したゴミ箱を提供することを目的とする。
【０００５】
【課題を解決するための手段】
前記目的に沿う第１の発明に係る袋体を使用したゴミ箱は、横木部材とその下方に配置された支持部材とを有する柵に設置される袋体を使用したゴミ箱であって、
前記袋体の開口部を上開放に保持する枠体と、該枠体の一部に設けられ、前記横木部材に取付ける取付具と、前記枠体の該取付具と同一側に設けられ、前記支持部材に当接して前記枠体を保持する支持具とを備えるゴミ箱本体と、
前記枠体に上から嵌着し、前記袋体の開口部周囲を挟み込んで固定する挟持部材とを有する。
これによって、ベッド等の柵にゴミ箱を設置できる。また、スーパー等でもらうポリ袋等の袋体を再利用できる。また、枠体が横木部材及び支持部材で支えられ、袋体の開口部を常に上向きに開放して保持できる。
【０００６】
第１の発明に係る袋体を使用したゴミ箱において、前記枠体の内側には引掛部が設けられ、該引掛部に前記袋体を外部から隠す覆い部材を引っ掛けてもよい。これによって、袋体に入れられたゴミを外部から見られないようにすることができる。また、引掛部に引っ掛けるだけで覆い部材を取付けることができる。
第１の発明に係る袋体を使用したゴミ箱において、前記枠体の外側又は内側には、接着部材が取付けられ、該接着部材に前記袋体を外部から隠す覆い部材を貼着してもよい。これによって、袋体に入れられたゴミを外部から見られないようにすることができる。また、接着部材に覆い部材を貼着するだけで覆い部材を取付けることができる。
【０００７】
前記目的に沿う第２の発明に係る袋体を使用したゴミ箱は、横木部材とその下方に配置された支持部材とを有する柵に設置される袋体を使用したゴミ箱であって、
前記袋体の開口部を上開放に保持し、前記袋体を内包する筒状体と、該筒状体の上部に設けられ、前記横木部材に取付ける取付具と、前記筒状体の該取付具と同一側に形成され、前記支持部材に当接して保持する支持具とを備えるゴミ箱本体と、
前記筒状体に上から嵌着し、前記袋体の開口部周囲を挟み込んで固定する挟持部材とを有する。
これによって、ベッド等の柵にゴミ箱を設置できる。また、スーパー等でもらうポリ袋等の袋体を再利用できる。また、筒状体が横木部材及び支持部材で支えられ、袋体の開口部を常に上向きに保持できる。更に、筒状体によって、袋体に入れられたゴミを外部から見られないようにすることができ、また、ゴミ箱を床等の水平面上にも設置できる。
【０００８】
第２の発明に係る袋体を使用したゴミ箱において、前記筒状体の内側下部には、突起部が設けられ、該突起部に底板を取付けてもよい。これによって、ゴミ箱に底板を取付けることができる。
第１及び第２の発明に係る袋体を使用したゴミ箱において、前記挟持部材には、前記袋体の開口部を閉塞する蓋を設けてもよい。これによって、袋体内のゴミを外部から見られないようにすることができ、更に、蝿等の袋体への進入を防ぐことができ、ゴミ箱を衛生に保つことができる。また、袋体内からの臭いもゴミ箱の外部に放出するのを抑えることができる。
第１及び第２の発明に係る袋体を使用したゴミ箱において、前記取付具は線状体又は板状体で形成することもできる。これによって、ゴミ箱本体に簡単に取付具を設けることができる。
【０００９】
【発明の実施の形態】
続いて、添付した図面を参照しつつ、本発明を具体化した実施の形態につき説明し、本発明の理解に供する。
ここで、図１は本発明の第１の実施の形態に係る袋体を使用したゴミ箱の説明図、図２は同ゴミ箱の断面図、図３（Ａ）は同袋体を使用したゴミ箱の引掛部の説明図、（Ｂ）は同袋体を使用したゴミ箱の接着部材の説明図、図４は本発明の第２の実施の形態に係るゴミ箱の説明図、図５（Ａ）は同ゴミ箱の突起部の説明図、（Ｂ）は同ゴミ箱の突起部の変形例の説明図である。
【００１０】
図１〜図３を参照して、本発明の第１の実施の形態に係る袋体を使用したゴミ箱（以下、単に「ゴミ箱」という）１０について説明する。
ゴミ箱１０は、例えば、ベッド１３に設けられた布団及び人の落下防止用の柵１４に設置され、ポリ袋等の袋体１５を取付けて、袋体１５にゴミを入れるものであって、ゴミ箱本体２０と、ゴミ箱本体２０に袋体１５を固定する挟持部材の一例である挟持具３０を有している。柵１４には、横木部材の一例である水平に配置されたアルミニウム製の手摺り１１とその下方に縦向きに配置された支持部材の一例である鉄製の複数のパイプ１２とが設けられている。
【００１１】
ゴミ箱本体２０は、袋体１５の開口部１６を上開放に保持する、例えば、短辺（横）が１０〜２０ｃｍ、長辺（縦）が２０〜４０ｃｍ、高さが１〜２ｃｍ、及び枠の幅が０．５〜１．５ｃｍの矩形状のプラスチック製の枠体２１を有している。また、枠体２１の上部の幅部分中央には、挟持具３０を嵌着するために、枠体２１の周囲に亘って例えば幅２〜８ｍｍ、更に具体的には４ｍｍの第１の溝部３１が設けられている。なお、第１の溝部３１の内側の凸部（側壁）３１ａは、その外側の凸部（側壁）３１ｂよりも低く形成されている。更に、ゴミ箱本体２０は、手摺り１１に取付ける取付具２３が枠体２１の柵１４側の長辺部２２に所定の間隔で２つ設けられている。手摺り１１に取付具２３を取付けるだけでは枠体２１が傾いて、袋体１５の開口部１６を上開放に保持できないので、更に、枠体２１の長辺部２２中央には、パイプ１２に当接して枠体２１を水平状態にして上下方向に開放となるように保持する断面Ｈ形の板状の支持具２４が設けられている。なお、支持具２４が断面Ｈ形となっているので、支持具２４の強度が向上している。
【００１２】
各取付具２３は、線状体の一例である番線で形成されている。枠体２１の長辺部２２の外側の凸部３１ｂには、取付具２３を取付けるための貫通孔２５が１つの取付具２３に対して、２つずつ所定の間隔で設けられている。枠体２１への取付具２３の取付けは、２つの貫通孔２５にそれぞれ下側から番線の端部を通し、更に、上向きに突出する番線の両端部を手摺り１１に引っ掛け、所定の高さとなるように手摺り１１の上部の形状に合わせて折り曲げて行う。なお、番線はビニール等で被覆して、番線による怪我を防止するのが好ましい。なお、取付具に長い番線を用いて、手摺り１１に巻き付けてもよい。
【００１３】
また、枠体２１の長辺部２２の外側の凸部３１ｂの中央部には、下側から上方に向かって縮径するテーパに形成された差込孔２６が設けられ、支持具２４は、この差込孔２６に下側から差し込まれて固定される。なお、差込孔２６の下側には、内表面がギザギザに形成された第１の嵌合部２７が設けられ、支持具２４の先部も同様に表面がギザギザに形成された第２の嵌合部２８が設けられているので、支持具２４を差込孔２６に差し込んで固定した際に、支持具２４が抜け難くなっている。更に、支持具２４の基部（下部）には、パイプ１２を囲むように接触する当接部２９が設けられている。ここで、支持具２４が折れて、差込孔２６内に一部が残ったときには、差込孔２６の支持具２４を差し込む側とは反対側から折れた部分を押し出して取り除き、残った支持具を再び差込孔２６に差し込んで使用することができる。
【００１４】
また、ゴミ箱１０の挟持具３０は、枠体２１に上から嵌着し、袋体１５の開口部１６周囲を挟み込んで固定している。挟持具３０は、枠体２１に嵌め込むことができるように枠体２１より短辺及び長辺を短くした矩形状でプラスチック製の挟持具本体３０ａを有している。更に、挟持具本体３０ａの下部の幅部分中央には、枠体２１と嵌着するために、その周囲に亘って例えば幅２〜８ｍｍ、更に具体的には４ｍｍの第２の溝部３２が設けられ、第２の溝部３２の内側の凸部（側壁）３２ａは、その外側の凸部（側壁）３２ｂよりも高く形成されている。ここで、枠体２１と挟持具本体３０ａを嵌着すると、枠体２１の第１の溝部３１には、挟持具本体３０ａの外側の凸部３２ｂがはまり込み、挟持具本体３０ａの第２の溝部３２には、枠体２１の内側の凸部３１ａがはまり込むようになっている。なお、枠体２１と挟持具３０の第１及び第２の溝部３１、３２は、袋体１５の開口部１６周囲を挟み込めるだけの隙間が設けられるように形成されている。袋体１５の開口部１６周囲は、第１及び第２の溝部３１、３２によって挟み込まれ、強固に固定されるので、枠体１５がゴミ箱１０から抜けることがなくなる。また、挟持具３０は、挟持具本体３０ａの長辺側に袋体１５の開口部１６を閉塞する蓋３３が２つの蝶番３４を介して開閉可能に取付けられ、更に蓋３３の上部には取手３５が設けられている。
【００１５】
ここで、図３（Ａ）に示すように、ゴミ箱本体２０の枠体２１の内側下部の周囲全部に引掛部３８が設けられ、引掛部３８に袋体１５を外部から隠す覆い部材の一例である鍔付カバー３６の鍔部３７が引っ掛けられる。これによって、袋体１５に入れられたゴミを外部から見られないようにすることができる。なお、引掛部は、枠体２１の内側に沿って、その一部に設けてもよい。鍔付カバーはその底部に底板を設けてもよい。
【００１６】
また、図３（Ｂ）に示すように、枠体２１の内側に、接着部材の一例である両面テープ４０を取付け、更に両面テープ４０の内側部分に袋体１５を外部から隠す覆い部材の一例である布３９を貼着してもよい。なお、覆い部材としては布の他に、紙、スモークフィルム等の不透明なものが使用できる。また、接着部材としては、面状ファスナーも使用でき、その場合には、面状ファスナーの一方を覆い部材に取付け、他方を枠体２１に取付ける。また、枠体２１の外側に、接着部材を取付けてもよい。
なお、枠体の内側を下方向に縮径するようなテーパに形成し、そのテーパに合うように下方向に縮径する外形を有する覆い部材を枠体の上方から枠体に填め込んで、覆い部材を取付けることもできる。
【００１７】
図４及び図５を参照して、本発明の第２の実施の形態に係る袋体を使用したゴミ箱（以下、単に「ゴミ箱」という）５０について説明する。なお、ゴミ箱１０と同一の構成要素については同一の番号を付してその詳しい説明を省略する。
ゴミ箱５０は、第１の実施の形態のゴミ箱１０と同様に柵１４に取付けて使用される。ゴミ箱５０のゴミ箱本体５１は、袋体１５の開口部１６を上開放に保持し、袋体１５を内包するように断面矩形の筒状、例えば、平面視して短辺（横）が９．４ｃｍ、長辺（縦）が１９．４ｃｍ、高さが２０ｃｍ、及び側壁の幅が３ｍｍの矩形状のプラスチック製の筒状体５２を有している。なお、寸法については、上記した数値の例えば１／２〜２倍の範囲で変更することができる。
【００１８】
更に、筒状体５２の柵１４側の上部には、手摺り１１に取付ける取付具５３を所定の間隔で取付ける取付具保持部５４が２つ設けられている。取付具５３は、基部に鍔部５５を有するアルミニウム製の板状体で形成され、筒状体５２の取付具保持部５４には、取付具５３を通す挿通孔５６が設けられている。２つの取付具５３は、所定の高さとなるように合わせ、更に、先部が手摺り１１の形状に合わせてＵ字状に折り曲げられている。なお、取付具５３は、鍔部５５によって取付具保持部５４から抜けることなく保持される。更に、筒状体５２の取付具５３と同一側の中央下部には、パイプ１２に当接して筒状体５２を上下方向に開放となるように保持する支持具５７が設けられている。
【００１９】
更に、図５（Ａ）に示すように、筒状体５２の内側下部には、その周囲に沿って内向きに突出する突起部５８を設け、突起部５８に底板５９を取付けることができる。また、図５（Ｂ）に示すように、複数（ここでは、１２個）の突起部６０を筒状体５２の内側下部の周囲に間隔をあけて設けることもできる。
また、ゴミ箱５０は、筒状体５２に上から嵌着する挟持具３０を備えている。ゴミ箱５０への袋体１５の取付けは、筒状体５２に袋体１５を内包し、更に袋体１５の開口部１６周囲を筒状体５２上端から少し出し、筒状体５２上端を挟持具３０の下側周囲に設けられた第２の溝部３２に嵌め込んで行う。なお、ゴミ箱の重量が重くなるが、第１の実施の形態のゴミ箱１０の第１の溝部３１と同様に、筒状体の上部を形成し、袋体１５を強固に固定してもよい。
【００２０】
本発明は、前記した実施の形態に限定されるものではなく、本発明の要旨を変更しない範囲での変更は可能であり、例えば、前記したそれぞれの実施の形態や変形例の一部又は全部を組み合わせて本発明の袋体を使用したゴミ箱を構成する場合も本発明の権利範囲に含まれる。
例えば、前記実施の形態のゴミ箱において、設置場所をベッドの柵としたが、これに限定されない。また、支持部材として、手摺りの下方に縦向きに配置されたパイプを用いてゴミ箱を保持したが、ベッドの側部等を支持部材として支持具で保持してもよい。また、前記実施の形態では、挟持部材を蓋付としたが、枠体又は筒状体に上から嵌着される単なる枠としてもよい。また、挟持部材に設ける蓋の形状は限定されない。
【００２１】
【発明の効果】
請求項１及びこれに従属する請求項２、３、６、７記載の袋体を使用したゴミ箱においては、袋体の開口部を上開放に保持する枠体と、枠体の一部に設けられ、横木部材に取付ける取付具と、枠体の取付具と同一側に設けられ、支持部材に当接して枠体を保持する支持具とを備えるゴミ箱本体と、枠体に上から嵌着し、袋体の開口部周囲を挟み込んで固定する挟持部材とを有するので、ベッド等の柵にゴミ箱を設置でき、例えばベッドに寝たままでもゴミを入れ易くなる。また、スーパー等でもらうポリ袋等の袋体を再利用できる。また、枠体が横木部材及び支持部材で支えられ、袋体の開口部を常に上向きに広げた状態で保持できるので、ゴミが入れ易くなる。
【００２２】
特に、請求項２記載の袋体を使用したゴミ箱においては、枠体の内側には引掛部が設けられ、引掛部に袋体を外部から隠す覆い部材が引っ掛けられるので、袋体に入れたゴミを外部から見られないようにすることができ、不快感を与えないようにできる。また、引掛部に引っ掛けるだけで覆い部材を簡単に取付けることができる。
請求項３記載の袋体を使用したゴミ箱においては、枠体の外側又は内側には、接着部材が取付けられ、接着部材に袋体を外部から隠す覆い部材を貼着するので、袋体に入れられたゴミを外部から見られないようにすることができ、不快感を与えないようにできる。また、接着部材に覆い部材を貼着するだけで覆い部材を簡単に取付けることができる。
【００２３】
請求項４及びこれに従属する請求項５〜７記載の袋体を使用したゴミ箱においては、袋体の開口部を上開放に保持し、袋体を内包する筒状体と、筒状体の上部に設けられ、横木部材に取付ける取付具と、筒状体の取付具と同一側に形成され、支持部材に当接して保持する支持具とを備えるゴミ箱本体と、筒状体に上から嵌着し、袋体の開口部周囲を挟み込んで固定する挟持部材とを有するので、ベッド等の柵にゴミ箱を設置でき、例えばベッドに寝たままでもゴミを入れ易くなる。また、スーパー等でもらうポリ袋等の袋体を再利用できる。また、筒状体が横木部材及び支持部材で支えられ、袋体の開口部を常に上向きに保持でき、ゴミが入れ易くなる。更に、筒状体によって、袋体に入れたゴミを外部から見られないようにすることができ、不快感を与えないようにでき、また、ゴミ箱を床等の水平面上にも設置できる。
【００２４】
特に、請求項５記載の袋体を使用したゴミ箱においては、筒状体の内側下部には突起部が設けられ、突起部に底板を取付けるので、底板を取り外し可能に設けることができ、底板を外してゴミ箱内に溜まるゴミや埃を取り除き易くなる。
請求項６記載の袋体を使用したゴミ箱においては、挟持部材には、袋体の開口部を閉塞する蓋が設けられているので、袋体内のゴミを外部から見られないようにすることができ、更に、蝿等の袋体への進入を防ぐことができ、ゴミ箱を衛生に保つことができる。また、袋体内からの臭いもゴミ箱の外部に放出するのを抑えることができる。
請求項７記載の袋体を使用したゴミ箱においては、取付具は線状体又は板状体で形成されているので、ゴミ箱本体に簡単に取付具を設けることができる。
【図面の簡単な説明】
【図１】本発明の第１の実施の形態に係る袋体を使用したゴミ箱の説明図である。
【図２】同袋体を使用したゴミ箱の断面図である。
【図３】（Ａ）は同袋体を使用したゴミ箱の引掛部の説明図、（Ｂ）は同袋体を使用したゴミ箱の接着部材の説明図である。
【図４】本発明の第２の実施の形態に係る袋体を使用したゴミ箱の説明図である。
【図５】（Ａ）は同袋体を使用したゴミ箱の突起部の説明図、（Ｂ）は同袋体を使用したゴミ箱の突起部の変形例の説明図である。
【符号の説明】
１０：袋体を使用したゴミ箱、１１：手摺り、１２：パイプ、１３：ベッド、１４：柵、１５：袋体、１６：開口部、２０：ゴミ箱本体、２１：枠体、２２：長辺部、２３：取付具、２４：支持具、２５：貫通孔、２６：差込孔、２７：第１の嵌合部、２８：第２の嵌合部、２９：当接部、３０：挟持具、３０ａ：挟持具本体、３１：第１の溝部、３１ａ、３１ｂ：凸部、３２：第２の溝部、３２ａ、３２ｂ：凸部、３３：蓋、３４：蝶番、３５：取手、３６：鍔付カバー、３７：鍔部、３８：引掛部、３９：布、４０：両面テープ、５０：袋体を使用したゴミ箱、５１：ゴミ箱本体、５２：筒状体、５３：取付具、５４：取付具保持部、５５：鍔部、５６：挿通孔、５７：支持具、５８：突起部、５９：底板、６０：突起部
【図１】
2005001809.tif 000003
【図２】
2005001809.tif 000004
【図３】
2005001809.tif 000005
【図４】
2005001809.tif 000006
【図５】
2005001809.tif 000007